(57)【要約】【課題】  着用時に、着用者の身体形状に良好にフィットし、防漏性に優れる吸収性物品及びその製造方法を提供すること。【解決手段】  液透過性の表面シート２、液不透過性の裏面シート３及び両シート２，３間に介在された液保持性の吸収体４を具備する吸収性物品（ナプキン）１において、該吸収体４を、該ナプキン１の前方部Ｂから後方部Ｃに亘って配された主吸収体４１と、排泄部対向部Ａに配された補助吸収体４２とから構成する。該補助吸収体４１は、一枚の吸収性シートを折り畳んで形成され、且つこの折り畳みによる該吸収性シートの重ね枚数が、ナプキン長手方向の一端から他端に向けて変化するようになしてある。また、該補助吸収体４２のナプキン長手方向の両端は、それぞれナプキン幅方向に対して平行でない。【選択図】  図１
2006181185.tif 000002
【特許請求の範囲】
【請求項１】
表面シート、裏面シート及び両シート間に介在された液保持性の吸収体を具備する吸収性物品であって、
前記吸収性物品は、その着用時に着用者の排泄部に対向する排泄部対向部並びにその前後に延在する前方部及び後方部を有し、
前記吸収体は、前方部から後方部に亘って配された主吸収体と、排泄部対向部に配された補助吸収体とから構成されており、
前記補助吸収体は、一枚の吸収性シートを折り畳んで形成され、且つこの折り畳みによる該吸収性シートの重ね枚数が、吸収性物品長手方向の一端から他端に向けて変化するようになしてあり、
前記補助吸収体の吸収性物品長手方向の両端は、それぞれ吸収性物品幅方向に対して平行でない吸収性物品。
【請求項２】
前記補助吸収体は、前記吸収性シートの幅方向の両端部を、それぞれ該吸収性シートの幅方向中央部で重ね合わせるように折り畳んで形成されている請求項１記載の吸収性物品。
【請求項３】
前記補助吸収体は、前記吸収性シートの幅方向の両端部を、それぞれ該吸収性シートの幅方向中央部で突き合わせるように折り畳んで形成されている請求項１記載の吸収性物品。
【請求項４】
前記補助吸収体の吸収性物品長手方向の一端が湾曲形状を有している請求項１又は２記載の吸収性物品。
【請求項５】
前記補助吸収体における前記吸収性シートの重ね枚数最多領域の吸収性物品長手方向長さは、該補助吸収体の吸収性物品長手方向長さの２０〜６０％である請求項１〜４の何れかに記載の吸収性物品。
【請求項６】
前記主吸収体は、下部吸収体と、該下部吸収体の肌当接面側に配された上部吸収体とからなり、前記補助吸収体は、該下部吸収体と該上部吸収体との間に配されている請求項１〜５の何れかに記載の吸収性物品。
【請求項７】
表面シート、裏面シート及び両シート間に介在された液保持性の吸収体を具備し、着用時に着用者の排泄部に対向する排泄部対向部並びにその前後に延在する前方部及び後方部を有し、該吸収体は、前方部から後方部に亘って配された主吸収体と、排泄部対向部に配された補助吸収体とから構成されている吸収性物品の製造方法であって、
連続して供給される吸収性シートを所定長さ及び所定形状に切断し、切断された吸収性シートを折り畳んで前記補助吸収体を製造する工程を有する吸収性物品の製造方法。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品において、フィット性や防漏性の向上などのため、その肌当接面側の中央部（股下部）が、他の部分よりも厚く又は多層に形成されたナプキン等が知られている。
【０００３】
例えば、特許文献１には、下部吸収材と、前端部域から中央部域の幅方向両端部を内方へ折込み、この折込み部を該下部吸収材の幅よりも狭く形成した上部吸収材とから形成される吸収体を具備し、幅方向中央部域を厚く形成し且つ後端部域を薄く形成した生理用ナプキンが提案されている。
また、特許文献２には、同じ長さの２枚の方形シート状の吸収材の間に、これらシートの長さよりも短くて互いに長さの異なる方形シート状の吸収材を複数枚介在積層させてなり、その略中央部から後端部へ漸次薄くなるように形成してある吸収体を具備させた生理用ナプキンが提案されている。
【特許文献１】実開昭５８−１３２２８号公報
【特許文献２】実開昭５８−１３２２４号公報
【発明の開示】
【発明が解決しようとする課題】
【０００４】
特許文献１及び２に開示されているような従来のナプキンは、その着用時において、前記中央部と、厚層には形成されていないその他の領域との境界部分に、ナプキンの剛性差に起因する皺が入りやすく、このため、該境界部分及びその近傍に位置するナプキンの肌当接面と、着用者の肌との間に隙間が形成されやすく、該隙間に経血等の排泄物が滞留し、外部に漏れ出すおそれがある。
【０００５】
従って、本発明の目的は、着用時に、着用者の身体形状に良好にフィットし、防漏性に優れる吸収性物品を提供することにある。
【課題を解決するための手段】
【０００６】
本発明は、表面シート、裏面シート及び両シート間に介在された液保持性の吸収体を具備する吸収性物品であって、前記吸収性物品は、その着用時に着用者の排泄部に対向する排泄部対向部並びにその前後に延在する前方部及び後方部を有し、前記吸収体は、前方部から後方部に亘って配された主吸収体と、排泄部対向部に配された補助吸収体とから構成されており、前記補助吸収体は、一枚の吸収性シートを折り畳んで形成され、且つこの折り畳みによる該吸収性シートの重ね枚数が、吸収性物品長手方向の一端から他端に向けて変化するようになしてあり、前記補助吸収体の吸収性物品長手方向の両端は、それぞれ吸収性物品幅方向に対して平行でない吸収性物品を提供することにより前記目的を達成したものである。
【０００７】
また、本発明は、表面シート、裏面シート及び両シート間に介在された液保持性の吸収体を具備し、着用時に着用者の排泄部に対向する排泄部対向部並びにその前後に延在する前方部及び後方部を有し、該吸収体は、前方部から後方部に亘って配された主吸収体と、排泄部対向部に配された補助吸収体とから構成されている吸収性物品の製造方法であって、連続して供給される吸収性シートを所定長さ及び所定形状に切断し、切断された吸収性シートを折り畳んで前記補助吸収体を製造する工程を有する吸収性物品の製造方法を提供することにより前記目的を達成したものである。
【発明の効果】
【０００８】
本発明の吸収性物品は、特に、吸収体の形態、とりわけ、該吸収体を構成する補助吸収体に特徴を有するため、着用時に、該吸収性物品の剛性差に起因する皺が入りにくく、長手方向に柔軟に湾曲して着用者の身体形状に良好にフィットし、排泄物の滞留が発生し難く、防漏性に優れている。
【発明を実施するための最良の形態】
【０００９】
以下に、本発明について、その好ましい一実施形態に基づき図面を参照しながら説明する。
本実施形態の生理用ナプキン１は、図１〜図３に示すように、液透過性の表面シート２、液不透過性の裏面シート３、及びこれら両シート２，３間に介在された液保持性の吸収体４を具備する。また、このナプキン１の肌当接面側の吸収性物品（ナプキン）幅方向の両側部には、その略全長に亘って一対のサイドシート５，５が、それぞれ該吸収体４の長手方向に沿って配されている。本明細書において、「肌当接面側」とは、各部材の両側（面）のうち、着用時に着用者の肌側に配される側（面）である。また、以下、「非肌当接面側」という語句を使用することがあるが、これは、各部材の両側（面）のうち、着用時に着用者の肌側とは反対側に配される側（面）である。
【００１０】
前記生理用ナプキン１は、その着用時に着用者の排泄部に対向する排泄部対向部Ａと、該排泄部対向部Ａの前後に延在する前方部Ｂ及び後方部Ｃとを有する。生理用ナプキン１の着用時には、該前方部Ｂが着用者の前（腹）側に、該後方部Ｃが着用者の後（背）側にそれぞれ配される。
【００１１】
前記表面シート２は、図２及び図３に示すように、前記吸収体４の肌当接面側の全域を被覆しており、そのナプキン幅方向両側端部は、該吸収体４のナプキン幅方向両側縁それぞれから若干延出した位置に配されている。前記裏面シート３は、前記吸収体４の非肌当接面側の全域を被覆し、該吸収体４のナプキン幅方向両側縁それぞれから外方に延出した部分を有し、その延出部分が、前記サイドシート５と共に、ナプキン１の幅方向両側部それぞれにサイドフラップ６を形成している。該サイドフラップ６は、排泄部対向部Ａの位置において更に外方に延出しており、一対のウイング部６１，６１を形成している。前記裏面シート３及び一対の該ウイング部６１，６１の非肌当接面側には、それぞれ粘着剤が塗布されて、ナプキン１をショーツ等に固定するための固定部（図示せず）が形成されている。
本実施形態のナプキン１の上述の構成は、従来公知の生理用ナプキンと同様である。
【００１２】
以下に、本実施形態のナプキン１における前記吸収体４について詳述する。前記吸収体４は、図１及び図２に示すように、前記前方部Ｂから前記後方部Ｃに亘って配された主吸収体４１と、前記排泄部対向部Ａに配された補助吸収体４２とから構成されている。
【００１３】
前記主吸収体４１は、下部吸収体４１１と、該下部吸収体４１１の肌当接面側に配された上部吸収体４１２とから構成されている。下部吸収体４１１と上部吸収体４１２とは接合固定されていない。両吸収体４１１，４１２は、何れも、実質的に縦長の矩形状の平面視形状をなしている。下部吸収体４１１及び上部吸収体４１２は、その全長（ナプキン長手方向の長さ）が２５０〜４５０mm、幅（ナプキン幅方向の長さ）が６０〜１８０mmの範囲にあることが好ましい。
【００１４】
前記下部吸収体４１１の厚みは、装着感及び装着者の身体へのフィット性の向上並びに漏れ防止の観点から、好ましくは０．３〜２．５mm、更に好ましくは０．５〜１．５mmである。また、前記上部吸収体４１２の厚みは、同様の観点から、好ましくは０．３〜２．０mm、更に好ましくは０．５〜１．５mmである。
【００１５】
前記下部吸収体４１１の坪量は、好ましくは４０〜２００ｇ／ｍ2、更に好ましくは５０〜１５０ｇ／ｍ2である。また、前記上部吸収体４１２の坪量は、好ましくは４０〜２００ｇ／ｍ2、更に好ましくは５０〜１００ｇ／ｍ2である。また、両者の坪量比は、（下部吸収体）：（上部吸収体）＝３：１〜１：２であることが、液を上層で留めず下層へ移動し易くし、吸収体を効率よく使用できる点で好ましい。
【００１６】
尚、本実施形態では、下部吸収体４１１及び上部吸収体４１２は、坪量がそれぞれ上記範囲にある吸収性シートから形成されている。両吸収体４１１，４１２を形成するこれらの吸収性シートは、材質的には、前記補助吸収体４２の形成材料である吸収性シートと同様のものである。
【００１７】
前記補助吸収体４２は、図１及び図２に示すように、前記主吸収体４１より小型の吸収体で、縦長に形成されており、前記排泄部対向部Ａにおける前記下部吸収体４１１と前記上部吸収体４１２との間に配されている。下部吸収体４１１及び上部吸収体４１２と補助吸収体４２とは接合固定されていない。
【００１８】
前記補助吸収体４２は、図４及び図５に示すように、一枚の吸収性シートを折り畳んで形成されている。本実施形態においては、補助吸収体４２は、図５（ａ）に示す如き矢羽形状の一枚の吸収性カットシート１１を、図５（ｂ）及び図５（ｃ）に示すように、その幅方向の両端部１１ｓ，１１ｓを、それぞれ該吸収性カットシート１１の幅方向中央部で重ね合わせるようにして折り畳むことにより形成されている。補助吸収体の製造工程については後で詳述する。
【００１９】
このような折り畳みによって得られた前記補助吸収体４２は、その折り込み線、即ち、補助吸収体４２の幅方向の最外方に位置する両端４２ｔ，４２ｔをナプキン長手方向に一致させ、且つ前記両端部１１ｓ，１１ｓの重ね合わせ部４２ｕ（図４中、斜線を付した部分）をナプキン１の前記前方部Ｂ側に向けて、前記排泄部対向部Ａにおける前記主吸収体４の幅方向中央部に配される（図１参照）。
【００２０】
前記補助吸収体４２は、図４に示すように、上述した折り畳みによる前記吸収性カットシート１１の重ね枚数が、吸収性物品（ナプキン）長手方向の一端から他端に向けて変化するようになしてある。図４中、○で囲まれた数値は、吸収性カットシート１１の重ね枚数を示しており、ナプキン長手方向の前記前方部Ｂ側の一端４２ｂから他端４２ｃに向けて、そのナプキン幅方向中央部における重ね枚数は１枚、２枚、３枚、１枚と変化しており、また、そのナプキン幅方向両側部における重ね枚数は、それぞれ１枚、２枚、１枚と変化している。このような構成は、主として、前記主吸収体４１と共に補助吸収体４２を具備させることにより懸念される前記吸収体４のナプキン長手方向の剛性差を緩和するためのものである。このように、補助吸収体４２の前記重ね枚数をコントロールすることで、ナプキン１の該補助吸収体４２が配されて厚くなっている部分におけるナプキン長手方向の剛性差を緩和することができ、漏れ出しの原因となるナプキンと着用者の肌との間の隙間形成を効果的に防止することが可能となる。
【００２１】
また、前記補助吸収体４２のナプキン長手方向の両端（前記一端４２ｂ及び前記他端４２ｃ）は、図１及び図４に示すように、略Ｖ字状の屈曲形状をなしており、ナプキン幅方向に対して平行でなく、ナプキン長手方向の両端に向かって突出するようになされている。補助吸収体４２の一端４２ｂ及び他端４２ｃが、ナプキン幅方向に平行な直線状であると、ナプキン１の補助吸収体４２が配されて厚くなっている部分と、補助吸収体４２が配されていない部分との境界部分に、吸収体４の剛性差に起因する皺が入りやすく、このため、該境界部分及びその近傍に位置するナプキンの肌当接面と、着用者の肌との間に隙間が形成され、該隙間に経血等が滞留して外部に漏れ出すおそれがある。
【００２２】
本実施形態においては、図４に示すように、前記補助吸収体４２を、前記重ね枚数に応じて複数の領域に区分（本実施形態では９つの領域に区分）したときに、そのナプキン長手方向の両端それぞれに位置する該領域における該重ね枚数が、何れも１枚となっている。換言すれば、前記補助吸収体４２のナプキン長手方向の前記一端４２ｂを有する領域の重ね枚数、及び前記他端４２ｃを有する領域の重ね枚数が、何れも、最低重ね枚数である１枚となっている。このように、補助吸収体４２におけるナプキン長手方向前後端近傍を、それぞれ最低重ね枚数にすることで、ナプキン１の補助吸収体４２が配されて厚くなっている部分と、補助吸収体４２が配されていない部分との間における層厚の変化率を緩和することができ、ナプキンと着用者の肌との間の隙間形成を効果的に防止することができる。また、補助吸収体４２のナプキン長手方向の一端側及び他端側を最低重ね枚数とすることで、該補助吸収体４２自体の重ね枚数は、前記一端４２ｂから長手方向中央部に向けて増加し、該長手方向中央部から前記他端４２ｃに向けて減少するようになるので、該補助吸収体４２自体のナプキン長手方向の剛性差、ひいては該補助吸収体４２が配されて厚くなっている部分におけるナプキン長手方向の剛性差が緩和され、フィット性及び防漏性が高まる。
【００２３】
前記補助吸収体４２は、その全長（ナプキン長手方向の長さ）Ｌ１が８０〜１６０mm、幅（ナプキン幅方向の長さ）Ｗ１が３０〜６０mmの範囲にあることが好ましい。
前記補助吸収体４２の全長は、前記主吸収体４１の全長の３０〜５０％の範囲にあることが好ましく、また、前記補助吸収体４２の幅は、前記主吸収体４１の幅の３０〜７０％の範囲にあることが好ましい。
【００２４】
前記補助吸収体４２における前記吸収性カットシート１１の重ね枚数最多領域（図４中、○で囲まれた３で示す領域。重ね枚数が３枚の領域）は、その全長（ナプキン長手方向の最大長さ）Ｌ２が２５〜８０mm、幅（ナプキン幅方向の最大長さ）Ｗ２が５〜１５mmの範囲にあることが好ましい。
【００２５】
前記補助吸収体４２における前記重ね枚数最多領域の全長Ｌ２は、該補助吸収体４２のナプキン長手方向長さＬ１の３０〜７０％、特に４０〜６０％の範囲にあることが、吸収力を高めると共に、段差を緩和する領域（図４の○で囲まれた１）が確保できる点で好ましい。また、同様の観点から、前記重ね枚数最多領域の幅Ｗ２は、該補助吸収体４２のナプキン幅向長さＷ１の５〜５０％、特に１０〜４０％の範囲にあることが好ましい。
【００２６】
前記補助吸収体４２を構成する前記吸収性カットシート１１の厚みは、０．１〜１．５mm、特に０．３〜０．８mmであることが、剛性差を緩和しフィット性を高める効果を発揮し、後部や斜め方向への漏れを防止する点で好ましい。
【００２７】
前記補助吸収体４２（前記吸収性カットシート１１）の坪量は、好ましくは２０〜１５０ｇ／ｍ2、更に好ましくは３５〜１００ｇ／ｍ2である。また、前記主吸収体４１の坪量（前記下部吸収体４１１の坪量と前記上部吸収体４１２の坪量との合計）と、補助吸収体４２の坪量との比（坪量比）は、（主吸収体）：（補助吸収体）＝１：２〜１：１であることが、排泄部（補助吸収体配置部）でのフィット性を高め、段差形成による後部や斜め後方への漏れを防止する点で好ましい。
【００２８】
本実施形態のナプキン１は、上述した主吸収体４１及び補助吸収体４２を具備する吸収体４を用いた生理用ナプキンであり、該ナプキン１における上述した吸収体４以外の各構成は、以下に詳述する通りである。
【００２９】
一対の前記サイドシート５，５は、それぞれ、図３に示すように、ナプキン１の幅方向中央寄りに位置する部分５Ａが、シートの折り返しにより２層とされており、その折り返し部がサイドシート５の内側縁部５１となっている。この内側縁部５１は、ナプキン１の幅方向中央部側に直線状に形成されている。サイドシート５は、このように、折り返し部がナプキン幅方向中央側に位置するように、２層に折り返されていると、着用時にポケットが開口し易くなるので好ましい。
【００３０】
また、一対の前記サイドシート５，５は、それぞれ、表面シート２の肌当接面側に、ヒートエンボス加工により接合固定され、接合固定部７が形成されている。本実施形態においては、接合固定部７は、ナプキン長手方向に沿って連続した直線形状に形成されているが、波線形状、ジグザグ形状などに形成することもできる。また、本実施形態においては、接合固定部７は、前記排泄部対向部Ａ並びにその前後に位置する前記前方部Ｂ及び前記後方部Ｃに亘って形成されているが、排泄部対向部Ａのみに形成することもでき、排泄部対向部Ａから前方部Ｂ又は後方部Ｃの何れか一方に亘るように形成することもできる。
【００３１】
前記サイドシート５における、前記部分５Ａは、ナプキン１の前後端部において、ヒートエンボス加工により表面シート２と共に裏面シート３に固定されている。また、サイドシート５における、ナプキン１の幅方向外方側に位置する部分５Ｂは、接着剤により裏面シート３に接合固定されており、該部分５Ｂのうち、ナプキン１の周縁部８に位置する部分は、ヒートエンボス加工により裏面シート３に接合固定されている。
【００３２】
本実施形態のナプキン１は、前記補助吸収体４２を製造し、製造された該補助吸収体４２を所定箇所（前記下部吸収体４１１と前記上部吸収体４１２との間）に配する点以外は、この種の生理用ナプキンの製造方法と同様の方法で製造することができる。
【００３３】
前記補助吸収体４２の製造工程の好ましい一例について、図５を参照しながら説明する。
先ず、ロール状に巻回された長尺の吸収性シート１０を順次繰り出して連続的に供給し、図５（ａ）中△で示す切断位置でカッター等の切断用具により該吸収性シート１０を切断して、所定長さ（図４中のＬ１）及び所定形状（本実施形態では矢羽形状）に切断された吸収性カットシート１１（一枚の吸収性シート）を得る。即ち、この吸収性カットシート１１は、長尺の吸収性シート１０の幅方向一端の任意の点ａと、該吸収性シート１０の幅方向中心線ｘ上にはあるが、該点ａを通る幅方向と平行な仮想線ｙ上にはない点ｂとを結ぶ直線状又は曲線状の切断線ｐ（本実施形態では直線状の切断線）、及び該切断線ｐと該中心線ｘを挟んで線対称の関係にある切断線ｑをそれぞれ設定すると共に、両切断線ｐ，ｑそれぞれと該吸収性シート１０の長手方向に所定間隔を置いて同一形状の切断線ｒ，ｓをそれぞれ設定し、これら４本の切断線ｐ，ｑ，ｒ，ｓに沿って該吸収性シート１０を切断することにより得られる。
【００３４】
次に、こうして切断された吸収性カットシート１１（一枚の吸収性シート）を、図５（ｂ）及び図５（ｃ）に示すように、その幅方向（切断前の長尺の吸収性シート１０の長手方向に直交する方向）の両端部１１ｓ，１１ｓを、それぞれ該吸収性カットシート１１の幅方向中央部で重ね合わせるようにして折り畳むことにより、補助吸収体４２が得られる。
【００３５】
上述したように、補助吸収体４２の製造工程では、連続して供給される長尺の吸収性シート１０を所定形状（本実施形態では矢羽形状）に切断した後で、この切断された吸収性カットシート１１を折り畳むことにより、上述の如き特徴的な形態を得ることができる。
【００３６】
本実施形態のナプキン１の各部を構成する材料としては、当該技術分野において通常用いられているものを特に制限無く用いることができる。
例えば、前記表面シート２としては、親水性且つ液透過性の不織布や、開孔フィルムを用いることができる。前記裏面シート３としては、液不透過性の材料や撥水性の材料を用いることができる。液不透過性の材料としては、樹脂フィルムや、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。前記サイドシート５としては、前記裏面シート３と同様のものを用いることができる。
【００３７】
前記主吸収体４１としては、補助吸収体４２と同様の吸収性シートの他、パルプ繊維等からなる繊維集合体、又は繊維集合体と吸水性ポリマーとからなるもの（吸水性ポリマーと繊維材料との混合積繊物）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。主吸収体４１を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００３８】
前記補助吸収体４２（主吸収体４１）の形成材料となる前記吸収性シートとしては、例えば、特開平８−２４６３９５号公報記載の方法にて製造された吸収性シート、紙や不織布の間にホットメルト接着剤等を塗布した後高吸収性ポリマーを散布して得られた吸収性シート、スパンボンド又はメルトブロー不織布製造工程中に高吸収性ポリマーを配合して得られた吸収性シート等を用いることができる。
【００３９】
本実施形態のナプキン１は、従来のナプキンと同様に、前記裏面シート３及び一対の前記ウイング部６１，６１の非肌当接面側に設けられた前記固定部（図示せず）により、ショーツ等の衣類の内面に固定して用いられる。
【００４０】
本実施形態のナプキン１によれば、上述したように、特徴的な形態を有する前記補助吸収体４２を用いているので、該補助吸収体４２が配されて厚くなっている部分の柔軟性に優れ、前記吸収体４のナプキン長手方向の剛性差が効果的に緩和されているので、補助吸収体４２が配されて厚くなっている部分と、補助吸収体４２が配されていない部分との境界部分に、該吸収体４の剛性差に起因する皺が入りにくく、着用時には、長手方向に柔軟に湾曲して着用者の身体形状に良好にフィットし、装着感に優れ、経血等の排泄物の滞留が発生し難く、防漏性に優れている。また、下部吸収体４１１と上部吸収体４１２との間に補助吸収体４２が配されているため、該補助吸収体４２からの吸水性ポリマーなどの粒状物の外部への漏れを防止することができる。
【００４１】
図６、図７は、それぞれ、本発明に係る補助吸収体の他の実施形態の平面図である。尚、以下の各実施形態において説明を省略した箇所については、上述した実施形態の説明が適用される。
【００４２】
図６に示す補助吸収体４３は、矢羽形状の前記吸収性カットシート１１の折り畳み方が異なる点以外は、上述した実施形態における補助吸収体４２と同様に構成されている。即ち、この補助吸収体４３は、図５（ａ）に示す矢羽形状の吸収性カットシート１１を、その幅方向の両端部１１ｓ，１１ｓを、それぞれ該吸収性カットシート１１の幅方向中央部で重ね合わせずに、それぞれの端部を突き合わせるように折り畳んで形成されている。つまり、シート端部では重なりがなく、シート端面が接触するか又は僅かに隙間を空けて向き合っている。図６中、○で囲まれた数値は、吸収性カットシートの重ね枚数を示している（図７も同様）。補助吸収体４３を前記ナプキン１に配する場合は、その長手方向一端側及び他端側のどちらを前記前方部Ａ側に向けてもよい。
【００４３】
図７に示す補助吸収体４４は、吸収性カットシート（所定形状に切断された一枚の吸収性シート）の形状が異なる点以外は、上述した実施形態における補助吸収体４２と同様に構成されている。即ち、この補助吸収体４４は、図５（ａ）に示す長尺の吸収性シート１０の切断工程において、該吸収性シート１０を、直線状の前記切断線ｐ，ｑ，ｒ，ｓに沿って切断（全体としてく字状の屈曲形状に切断）せずに、図示しない曲線状の4本の切断線に沿って切断（全体として湾曲形状に切断）し、こうして得られた長手方向の両端が湾曲している吸収性カットシート（図示せず）を、図５（ｂ）及び図５（ｃ）と同様に折り畳んで形成されており、長手方向の一端４４ｃが湾曲形状を有している。補助吸収体４４は、補助吸収体４２と同様に、該吸収性カットシート（図示せず）の両端部の重ね合わせ部４４ｕ（図７中、斜線を付した部分）をナプキン１の前記前方部Ｂ側に向けて（湾曲形状を有する一端４４ｃをナプキン１の前記後方部Ｃ側に向けて）、ナプキン１に配される。
【００４４】
以上、本発明の実施形態について説明したが、本発明は、上述した実施形態に制限されず、本発明の趣旨を逸脱しない範囲で種々変更が可能である。
例えば、上述した実施形態では、補助吸収体４２は、下部吸収体４１１と上部吸収体４１２との間に配されていたが、下部吸収体４１１の非肌当接面側（下部吸収体４１１と裏面シート３との間）や、上部吸収体４１２の肌当接面側（上部吸収体４１２と表面シート２との間）に配することもできる。
【００４５】
また、上述した実施形態では、主吸収体４１を、下部吸収体４１１と上部吸収体４１２とからなる２層構造としていたが、単層構造としてもよい。この場合、補助吸収体４２の配置箇所は、単層構造の主吸収体の肌当接面側（単層構造の主吸収体と表面シート２との間）でもよく、非肌当接面側（単層構造の主吸収体と裏面シート３との間）でもよい。また、主吸収体を単層構造とした場合の該主吸収体の形状は、前記下部吸収体４１１及び前記上部吸収体４１２をそれぞれ変形させずに重ね合わせてなる形状とすることが好ましく、また、単層構造の該主吸収体の各部の大きさは、上述の説明の通りとすることが好ましい。尚、単層構造の該主吸収体の厚み及び坪量については、上述した下部吸収体４１１及び上部吸収体４１２それぞれの厚みの合計値、あるいは坪量の合計値が好ましい。
【００４６】
また、上述した実施形態では、補助吸収体４２は、前記重ね合わせ部４２ｕ（吸収性カットシート１１の幅方向の両端部１１ｓ，１１ｓの重ね合わせ部分）をナプキン１の前方部Ｂ側に向けて、ナプキン１に配されていたが、これとは逆に、該重ね合わせ部４２ｕを前記後方部Ｃ側に向けて配してもよい。図７に示す補助吸収体４４についても、これと同様に、その前記重ね合わせ部４４ｕを後方部Ｃ側に向けて（湾曲形状を有する前記一端４４ｃをナプキン１の前方部Ｂ側に向けて）配してもよい。
【００４７】
また、前記サイドシート５は、それ自体に伸縮可能な材料を使用したり、その内側縁部５１付近に糸状・帯状の弾性材（例えば糸ゴムや平ゴム）を配置し、該弾性材を内側縁部５１で折り返したサイドシート５で挟み込んだりして、ポケットを形成（開口）し易くしてもよい。弾性材を固定する場合、前記接合固定部７により固定してもよく、別途ホットメルト型粘着剤などにより固定してもよい。
【００４８】
また、上述した実施形態はウイング部６１を有していたが、ウイング部を有しないものであってもよい。
また、本発明の吸収性物品は、上述した生理用ナプキン以外に、パンティライナー（おりものシート）、失禁パッド等であってもよい。
また、補助吸収体が配されて厚くなっている部分の周囲に、側部溝、全周溝、前後溝などを単独で又はこれらを適宜組み合わせたものを形成してもよく、該部分に溝加工（エンボス加工）を施してもよい。
【００４９】
また、補助吸収体の上述した以外の製造方法としては、先ず、長尺状の吸収性シートに所定形状（例えば矢羽形状）にミシン目を入れ（この段階では切り離しはしない）、次に、長尺状のままで該吸収性シートを折り畳み、この折り畳まれた吸収性シートを長手方向に沿って引っ張るなどして部分的な切断である該ミシン目に沿って分離する方法があり、この方法によって補助吸収体を製造してもよい。
【図面の簡単な説明】
【００５０】
【図１】本発明の一実施形態としての生理用ナプキンを表面シート側から見た状態を示す平面図である。
【図２】図１のＩ−Ｉ線断面を模式的に示す縦断面図である。
【図３】図１のII−II線断面を模式的に示す横断面図である。
【図４】図１に示す生理用ナプキンにおける補助吸収体の平面図である。
【図５】図４に示す補助吸収体の製造工程の工程概略説明図である。
【図６】本発明に係る補助吸収体の他の実施形態の平面図である。
【図７】本発明の係る補助吸収体のさらに他の実施形態の平面図である。
【符号の説明】
【００５１】
１  生理用ナプキン
２  表面シート
３  裏面シート
４  吸収体
４１  主吸収体
４１１  下部吸収体
４１２  上部吸収体
４２  補助吸収体
５  サイドシート
６  サイドフラップ部
６１  ウイング部
Ａ  排泄部対向部
Ｂ  前方部
Ｃ  後方部
【図１】
2006181185.tif 000003
【図２】
2006181185.tif 000004
【図３】
2006181185.tif 000005
【図４】
2006181185.tif 000006
【図５】
2006181185.tif 000007
【図６】
2006181185.tif 000008
【図７】
2006181185.tif 000009